(57)【要約】【課題】構造の簡単化と、盛替え作業の効率化と、汎用性の向上とを図る。【解決手段】建物躯体１に設置することで、外装取付作業範囲の外周側を養生シート２で覆った状態に養生自在な作業範囲養生設備であって、建物躯体１に着脱自在で、養生シート２を吊下支持自在な支持体４を設け、支持体４で吊下支持された養生シート２の下方に配置自在な養生架台１０を、支持体４から吊下支持状態に設け、養生架台１０を、支持体４の近傍まで揚重自在な揚重装置Ｙを設けてある。【選択図】図１
2014169608.tif 000002
【特許請求の範囲】
【請求項１】
建物躯体に設置することで、外装取付作業範囲の外周側を養生シートで覆った状態に養生自在な作業範囲養生設備であって、
前記建物躯体に着脱自在で、前記養生シートを吊下支持自在な支持体を設け、
前記支持体で吊下支持された前記養生シートの下方に配置自在な養生架台を、前記支持体から吊下支持状態に設け、
前記養生架台を、前記支持体の近傍まで揚重自在な揚重装置を設けてある作業範囲養生設備。
【請求項２】
前記養生シートの設置範囲にわたって移動自在にゴンドラを設け、
前記ゴンドラの移動駆動に使用自在な駆動装置を設け、
前記駆動装置は、前記揚重装置と兼用のホイストクレーンで構成してある請求項１に記載の作業範囲養生設備。
【請求項３】
請求項１または２に記載の作業範囲養生設備を、上の階層に盛替える養生設備盛替え方法であって、
前記建物躯体に前記支持体が取り付けられた状態で、前記揚重装置によって、前記養生架台を前記支持体の近傍まで揚重して、
前記支持体と前記揚重装置と前記養生シートと前記養生架台とを一つの揚重体としてまとめ、
前記揚重装置とは別の揚重手段によって、前記揚重体を吊下した状態で前記支持体を前記建物躯体から取り外して上の階層に吊り上げ、前記建物躯体に取り付け直す養生設備盛替え方法。
【発明の詳細な説明】
【技術分野】
【０００１】
本発明は、建物躯体に設置することで、外装取付作業範囲の外周側を養生シートで覆った状態に養生自在な作業範囲養生設備に関し、また、その作業範囲養生設備を、上の階層に盛替える養生設備盛替え方法に関する。因みに、前記外装とは、例えば、ＡＬＣやアスロックや各種カーテンウォール等の外装材をいう。
ここでは、このような作業範囲養生設備や、養生設備盛替え方法を含めて養生設備関連技術という。
【背景技術】
【０００２】
従来、この種の養生設備関連技術としては、カーテンウォール取付作業範囲の外周側を覆う状態に、金属製の養生フレームを設け、この養生フレームの外面側に養生シートが張設してある作業範囲養生設備を使用するものがあった（例えば、特許文献１参照）。
養生フレームの上端部側は、支持体を介して、建物躯体に対して上下移動切替自在な状態に固定され、養生フレームの下端部側は、建物躯体に既に設置された下階のカーテンウォールに上下移動自在に取り付けられている。このカーテンウォールへの取り付けは、カーテンウォールの表面に設置されているマリオンのリップ溝に、養生フレームの下端部に取り付けたガイドローラを嵌合させることで実施されている。
ガイドローラは、リップ溝内においては、溝長手方向（上下方向）に沿ってのみスライド移動が許容されるから、養生フレームは、リップ溝にガイドされて上下方向にのみ移動させることができる状態に取り付けられている。
そして、カーテンウォール取付作業範囲でのカーテンウォールの取り付けが終了すると、作業範囲養生設備を上の階層に盛替えるわけであるが、その作業工程は、例えば、タワークレーンで作業範囲養生設備全体を吊った状態で、建物躯体への支持体の固定を解除した後、そのままタワークレーンで上の階層まで吊り上げて、支持体を建物躯体の新たな対応箇所に固定することで実施される。つまり、作業範囲養生設備は、カーテンウォール取付作業範囲の広域にわたる設置形態を維持したまま上層階に盛替えられる。
【先行技術文献】
【特許文献】
【０００３】
【特許文献１】特開２００９−１６１９９９号公報（図１、図３〜６）
【発明の概要】
【発明が解決しようとする課題】
【０００４】
上述した従来の養生設備関連技術によれば、養生シートを支持する養生フレームは、カーテンウォール取付作業範囲の広域にわたって設けられるから、それだけでも、作業範囲養生設備は大掛かりな構造になる虞がある。
また、上層階への盛替え作業は、作業範囲養生設備の設置形態を維持したまま実施されるから、大掛かりな構造のまま移動させることになり、風等の影響を受け易い難易度の高い作業となるから、盛替え作業に手間がかかる問題点がある。
更には、建物躯体に対する養生フレームの取り付けは、下端側において、マリオンのリップ溝にガイドローラを嵌合状態に取り付けて、上下に移動自在な構造を採用せざるを得ないから、例えば、マリオンを備えていても、上下に連続したリップ溝を備えてない建物構造や、マリオンそのものを備えてない建物構造の場合には、設置が困難となり、汎用性が低い問題点がある。
【０００５】
従って、本発明の目的は、上記問題点を解消し、構造の簡素化と、盛替え作業の効率化と、建物構造に対する汎用性の向上とを図れる養生設備関連技術を提供するところにある。
【課題を解決するための手段】
【０００６】
本発明の第１の特徴構成は、建物躯体に設置することで、外装取付作業範囲の外周側を養生シートで覆った状態に養生自在な作業範囲養生設備であって、前記建物躯体に着脱自在で、前記養生シートを吊下支持自在な支持体を設け、前記支持体で吊下支持された前記養生シートの下方に配置自在な養生架台を、前記支持体から吊下支持状態に設け、前記養生架台を、前記支持体の近傍まで揚重自在な揚重装置を設けてあるところにある。
【０００７】
本発明の第１の特徴構成によれば、建物躯体に支持体を取り付けて、その支持体で、養生シートや養生架台を吊下支持することで、外装取付作業範囲の外周側と下方側とを覆うことができ、作業範囲内で生じた落下物を、作業範囲養生設備内に留め、設備外への落下防止を図れる養生環境を、簡単に構築することができる。
また、養生フレームを使用せずに養生シートを設置できるから、養生設備全体構造の簡素化を図れると共に、作業範囲養生設備の軽量化も可能となり、上層階への盛替え作業が実施しやすくなる。
そして、養生シートは、支持体から吊下されていると共に、その下方に養生架台が配置されており、その養生架台を支持体近傍まで揚重自在な揚重装置を備えていることから、作業範囲養生設備の上層階への盛替えにあたって、例えば、揚重装置によって、養生架台を支持体の近傍まで揚重すると共に、養生架台上に養生シートを回収することができる。  その結果、支持体と揚重装置と養生シートと養生架台とを一つの揚重体としてコンパクトにまとめ、その揚重体を、例えば、タワークレーン等の別の揚重手段によって吊り上げて、上層階へ盛替えることが可能となる。
つまり、盛替え時には、作業範囲養生設備のコンパクト化を図ることができ、風等の影響を受け難い状態で、効率よく作業することができる。
また、建物躯体に対する作業範囲養生設備の取り付けは、上方側の支持体によって取り付けるから、下方側に関しては、特に決まりがあるわけではなく、対象となる建物構造に合わせて取付部材を選択すればよい。即ち、マリオンを備えていない建物構造であっても、例えば、本設ゴンドラの振れ止めピン等を備えた建物構造であれば、その振れ止めピンに作業範囲養生設備の下端側を取り付けることが可能である。
以上の結果、作業範囲養生設備としての構造の簡素化と、盛替え作業の効率化と、汎用性の向上とを図ることができるようになる。
【０００８】
本発明の第２の特徴構成は、前記養生シートの設置範囲にわたって移動自在にゴンドラを設け、前記ゴンドラの移動駆動に使用自在な駆動装置を設け、前記駆動装置は、前記揚重装置と兼用のホイストクレーンで構成してあるところにある。
【０００９】
本発明の第２の特徴構成によれば、駆動装置によってゴンドラを養生シートの設置範囲にわたって移動させることができるから、そのゴンドラを使用することで、養生シートの全域にわたってメンテナンスを簡単に実施することができる。
更には、その駆動装置が、上述の揚重装置と兼用のホイストクレーンで構成してあるから、単一のホイストクレーンによって、上述の盛替え時の養生架台や養生ネットの揚重駆動に加えて、ゴンドラの移動駆動をも実施することができる。
よって、作業範囲養生設備全体が大掛かりになるのを防止できながら、外装取付作業空間における省スペース化によって、広い作業空間を確保して外装取付作業を効率的に実施することが可能となる。
【００１０】
本発明の第３の特徴手段は、請求項１または２に記載の作業範囲養生設備を、上の階層に盛替える養生設備盛替え方法であって、前記建物躯体に前記支持体が取り付けられた状態で、前記揚重装置によって、前記養生架台を前記支持体の近傍まで揚重して、前記支持体と前記揚重装置と前記養生シートと前記養生架台とを一つの揚重体としてまとめ、前記揚重装置とは別の揚重手段によって、前記揚重体を吊下した状態で前記支持体を前記建物躯体から取り外して上の階層に吊り上げ、前記建物躯体に取り付け直すところにある。
【００１１】
本発明の第３の特徴構成によれば、支持体と揚重装置と養生シートと養生架台とを一つの揚重体としてコンパクトにまとめ、その揚重体を、例えば、タワークレーン等の別の揚重手段によって吊り上げて、上層階へ盛替えるから、盛替え時における作業範囲養生設備のコンパクト化を図ることができ、風等の影響を受け難い状態で、効率よく盛替え作業を実施することができる。
また、養生フレームを使用せずに盛替え作業を実施できるから、作業範囲養生設備全体とした軽量化が図られ、前記別の揚重手段への負荷の軽減や、使用時間の短縮を叶えることができる。その結果、当該作業範囲養生設備の盛替え工程以外の全般の建設工程に、前記別の揚重手段の使用を解放でき、該当する建設現場全体とした施工の効率化を図ることができる。
【図面の簡単な説明】
【００１２】
【図１】養生設備の設置状況を示す建物側面視の説明図
【図２】養生設備の盛替え手順を示す建物側面視の説明図
【図３】養生設備の盛替え手順を示す建物側面視の説明図
【図４】養生設備の盛替え手順を示す建物側面視の説明図
【図５】養生設備の盛替え手順を示す建物側面視の説明図
【発明を実施するための形態】
【００１３】
以下に本発明の実施の形態を図面に基づいて説明する。
【００１４】
図１、図２は、本発明の作業範囲養生設備の一実施形態である養生設備Ｍを、建設途中の建物躯体１に設置してある状況を示し、外装取付作業範囲ｈの階層の外周側を、養生シート２で覆う状態に養生している。
【００１５】
建物躯体１は、柱１Ａや梁１Ｂやスラブ１Ｃを先行して構築され、外周部が開口された状態で建ち上げられている。そして、その外周部に、下層階から上層階に、順次、カーテンウォール（外装の一例）３が取り付けてられて、外壁面が構成されていく。
当該実施形態においては、図２に、養生設備Ｍが設置される養生階層Ｈとしては、Ｈ１、Ｈ２、Ｈ３、Ｈ４の記号で示す上下に連続する四階層からなる外装取付作業範囲ｈと、その上下の二階層Ｈ０、Ｈ５とが設定されている。
ここでは、これらの養生階層Ｈの内、Ｈ２、Ｈ３、Ｈ４の三階層にわたってカーテンウォール３を取り付ける形態を例に挙げて説明する。
また、これら三階層Ｈ２、Ｈ３、Ｈ４におけるカーテンウォール取付工程が終了したら、養生設備Ｍを三つ上の階層に盛替えて、同様の手順で次の三階層のカーテンウォール３がそれぞれ取り付けられる（図４参照）。
【００１６】
養生設備Ｍは、図１に示すように、Ｈ０の養生階層における複数の柱１Ａにそれぞれ取り付けられたＨ形鋼製の支持体４と、隣接する支持体４にわたって取り付けられた二条の第１ホイストレール５、第２ホイストレール６と、建物躯体１より遠い方の第１ホイストレール５に移動自在に取り付けられた第１ホイストクレーン（揚重装置Ｙ、駆動装置Ｋに相当）７と、建物躯体１に近い方の第２ホイストレール６に移動自在に取り付けられた第２ホイストクレーン８と、支持体４から複数のワイヤー９で吊下支持された養生架台１０と、建物躯体１より遠い方のワイヤー９列に沿わせて配置された養生シート２と、前記第１ホイストクレーン７から吊下されたゴンドラ１２とを備えて構成してある。
【００１７】
支持体４は、図に示すように、柱１Ａに取り付けたブラケット１３に、基端側をボルトで固定してあり、先端側は、建物躯体１から外方に突出する状態に設置されている。また、ボルトを取り外すことで、柱１Ａから支持体４を取り外すことが可能となる。従って、養生設備Ｍの盛替え時には、ボルトを取り外して、支持体４を上層階に吊り上げて盛替えることができる。
【００１８】
支持体４の下フランジ４Ａには、長手方向に間隔をあけて前記第１ホイストレール５と第２ホイストレール６とが並列状態に取り付けられている。これら両ホイストレール５、６は、共にＨ形鋼によって構成されている。
【００１９】
第１ホイストクレーン７は、第１ホイストレール５に対して、長手方向に沿って移動駆動自在な状態に設置されており、下方には、前記ゴンドラ１２を上下移動駆動自在に吊下している。従って、ゴンドラ１２を、外装取付作業範囲ｈ内において、建物壁面に沿って縦横に移動駆動させることができ、例えば、前記養生シート１１の切り離しや復旧、メンテナンス作業を、このゴンドラ１２に乗った状態で実施することができる。
また、ゴンドラ１２には、前記養生架台１０と一体連結自在な連結部１２ａが備えてあり、この連結部１２ａによって養生架台１０とゴンドラ１２とを連結した状態で、前記第１ホイストクレーン７を揚重駆動させることで、ゴンドラ１２と養生架台１０とを、支持体４の近傍まで一体的に吊り上げることができる。
その際、支持体４から養生架台１０を吊り下げているワイヤー９や養生シート２は緩むから、それらを手繰りよせて、ゴンドラ１２や養生架台１０の上に、仮置き状態に回収することができる。因に、連結部１２ａとしては、例えば、フック等による係合連結や、ボルトナットを使用した連結や、結束ワイヤーを使用した連結等、各種連結手段を採用することができる。
【００２０】
第２ホイストクレーン８は、図５に示すように、Ｈ２、Ｈ３、Ｈ４の各養生階層においてスラブ１Ｃ上に積み置き状態に準備されたカーテンウォール３の各エレメントを、建物躯体１から吊り出したり、吊り出したエレメントを建物躯体１の所定位置に移動させて取り付ける際に、揚重装置として使用される。
【００２１】
養生架台１０は、外装取付作業範囲ｈの下方の遮断床を構成できるように寸法設定してあり、外装取付作業範囲ｈの外周側を覆う養生シート２との協働作用によって、外装取付作業範囲ｈを外部空間と隔離している。
また、養生架台１０は、図１に示すように、支持体４から複数のワイヤー９で吊り下げられていると共に、既に建物躯体１に取り付けられている養生階層Ｈ０のカーテンウォール３に対して振れ止めワイヤー１０ａを係止させて固定してある。具体的には、カーテンウォール３の一部に備えたレセプターピン３ａに、振れ止めワイヤー１０ａを係止させることで振れ止め状態に固定されている。
この振れ止めワイヤー１０ａは、上層階への養生設備Ｍの盛替えの際には、係止解除される。
【００２２】
養生シート２は、例えば、極細目のネット等で構成することができ、外装取付作業範囲ｈから落下する虞のある部品や工具等を貫通させない網目のものが使用されている。
また、養生シート２は、縁部に鳩目（不図示）を設けてあり、この鳩目に前記ワイヤー９を貫通させたり、別の係止紐等を結ぶことで、ワイヤー９に沿った鉛直姿勢が維持されている。上端部は、支持体４に取り付けられている。
【００２３】
次の、当該養生設備Ｍを、上層階へ盛替える際の手順について説明する。
［１］ゴンドラ１２を養生架台１０の上面まで下げた状態で、連結部１２ａによって養生架台１０と一体連結する（図１、図２参照）。
［２］振れ止めワイヤー１０ａをレセプターピン３ａから取り外す。
［３］養生シート２の上端部、支持体４から取り外し、ワイヤー９をガイドとして利用しながら養生架台１０上まで下げる。但し、この工程は省略することも可能である。
［４］第１ホイストクレーン７を巻上げ駆動させて、養生架台１０、ゴンドラ１２、ワイヤー９、養生シート２を、支持体４の直下まで吊り上げて、ロープ等によって支持体４や第２ホイストクレーン８と共に緊結して一体となった揚重体１４としてまとめる（図３参照）。
［５］タワークレーン（別の揚重手段に相当）１５によって揚重体１４を吊った状態で、ブラケット１３から支持体４を取り外して、盛替え先の上層階まで揚重体１４を吊り上げる（図４参照）。
［６］予め、上層階の柱１Ａに取り付けておいたブラケット１３に、吊上げ状態の支持体４を取り付け、揚重体１４をまとめていたロープを解き、第１ホイストクレーン７を下降駆動させて養生架台１０、ゴンドラ１２、ワイヤー９、養生シート２を所定の下限位置まで下げる（図５参照）。
【００２４】
本実施形態の養生設備関連技術によれば、養生シート２の姿勢保持には、ワイヤー９を使用するから、従来のような養生フレームを使用するものに比べて、養生設備Ｍ全体構造の簡素化を図れると共に、養生設備Ｍの軽量化も可能となり、上層階への盛替え作業が実施しやすくなる。
また、盛替え時には、作業範囲養生設備のコンパクト化を図ることができ、風等の影響を受け難い状態で、効率よく作業することができる。
更には、養生架台１０の振れ止め構造は、特に限定されるものではないので、マリオンを備えた建物構造にも対応でき、汎用性が高い。
また、第１ホイストクレーン７によって、ゴンドラ１２の揚重と、揚重体１４全体の揚重とを兼用化でき、養生設備Ｍ全体が大掛かりになるのを防止できながら、外装取付作業空間における省スペース化によって、広い作業空間を確保して外装カーテンウォール取付作業を効率的に実施することが可能となる。
【００２５】
〔別実施形態〕
以下に他の実施の形態を説明する。
【００２６】
〈１〉  当該養生設備関連技術は、各種構造形式の建物躯体１に適用することができ、例えば、鉄骨造や、鉄骨鉄筋コンクリート造や、鉄筋コンクリート造等にも、良好な状態で適用することができる。
また、外装取付作業範囲ｈは、先の実施形態で説明した階層の詳細に限るものではなく、変更が可能である。
〈２〉  支持体４は、先の実施形態で説明した柱１Ａに形成したブラケット１３を使用して実施されるものに限るものではなく、例えば、上層階の梁１Ｂや、スラブ１Ｃ等に取り付けるものであってもよい。
〈３〉  養生架台１０を、支持体４の近傍まで揚重自在な揚重装置Ｙは、先の実施形態で説明した第１ホイストクレーン７に限るものではなく、例えば、第２ホイストクレーン８で構成してあってもよい。
また、第１ホイストクレーン７やゴンドラ１２を設けずに養生設備Ｍを構成するものであってもよい。
〈４〉  前記外装３は、先の実施形態で説明したカーテンウォールに限るものではなく、ＡＬＣやアスロックや他の各種カーテンウォール等であってもよく、それらを含めて外装と総称する。
【００２７】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２８】
１      建物躯体
２      養生シート
４      支持体
７      第１ホイストクレーン（揚重装置、駆動装置に相当）
１０    養生架台
１２    ゴンドラ
１４    揚重体
１５    タワークレーン（別の揚重手段に相当）
ｈ      外装取付作業範囲
Ｋ      駆動装置
Ｙ      揚重装置
【図１】
2014169608.tif 000003
【図２】
2014169608.tif 000004
【図３】
2014169608.tif 000005
【図４】
2014169608.tif 000006
【図５】
2014169608.tif 000007